(57)【要約】【課題】  最適な表示方式で表示することができ、また、屋外時の不必要なバックライト点灯の電力を削減することができる液晶表示装置及び移動体通信端末を提供する。【解決手段】  表示用液晶と、液晶手段の裏側に設けられ、外部光による反射式表示と、バックライトの照射による透過式表示とのいずれかに切り替わる表示切替液晶と、バックライトの輝度の設定及びバックライトの点灯・消灯の切り替え設定を行うバックライト制御手段と、反射式表示と、透過式表示との切り替え制御を行う制御手段と、を有し、制御手段は、表示切替液晶を、バックライト制御手段の輝度の設定に応じて反射式表示又は透過式表示のいずれかに切り替える。【選択図】  図１
2006162680.tif 000002
【特許請求の範囲】
【請求項１】
表示用の液晶手段と、
前記液晶手段の裏側に設けられ、外部光による反射式表示と、バックライトの照射による透過式表示とのいずれかに択一的に切り替わる表示切替液晶と、
前記バックライトの輝度の設定及び前記バックライトの点灯・消灯の切り替え設定を行うバックライト制御手段と、
反射式表示と、透過式表示との切り替え制御を行う制御手段と、を有し、
前記制御手段は、
前記バックライト制御手段の輝度の設定に応じて、前記表示切替液晶を反射式表示又は透過式表示のいずれか一方に切り替えることを特徴とする液晶表示装置。
【請求項２】
前記透過式表示時に、前記バックライトの輝度が所定の値以上に設定された場合、前記制御手段は、前記表示切替液晶を反射式表示へ切り替え、かつ、前記バックライト制御手段は前記バックライトを消灯し、
前記反射式表示時に、前記バックライトの輝度が所定の値以上に設定された場合、前記制御手段は、前記表示切替液晶を透過式表示へ切り替え、かつ、前記バックライト制御手段は前記バックライトを点灯することを特徴とする請求項１記載の液晶表示装置。
【請求項３】
外部の照度を検出する照度検出手段と、
反射式表示又は透過式表示の切り替え基準値である切替照度を設定する切替照度設定手段と、
前記照度検出手段により検出された照度と、前記切替照度設定手段に設定された切替照度とを比較する比較手段と、をさらに有し、
前記制御手段は、
前記比較手段の比較結果に応じて、前記表示切替液晶を反射式表示又は透過式表示へ切り替えることを特徴とする請求項１又は２記載の液晶表示装置。
【請求項４】
前記照度検出手段の検出照度が、予め設定された切替照度以上の場合、前記制御手段は、前記表示切替液晶を反射式表示へ切り替え、かつ、前記バックライト制御手段は前記バックライトを消灯し、
前記照度検出手段の検出照度が、予め設定された切替照度未満の場合、前記制御手段は、前記表示切替液晶を透過式表示へ切り替え、かつ、前記バックライト制御手段は前記バックライトを点灯することを特徴とする請求項３記載の液晶表示装置。
【請求項５】
前記照度検出手段の検出照度と、前記バックライトの輝度とを相関付けたテーブルを保持する記憶手段をさらに有し、
前記制御手段は、
前記照度検出手段の検出照度と、前記テーブルとに基づいて、前記表示切替液晶の反射式表示又は透過式表示の切り替えを行い、
前記バックライト制御手段は、
前記照度検出手段の検出照度と、前記テーブルとに基づいて、前記バックライトの輝度を所定の値に設定することを特徴とする請求項３又は４記載の液晶表示装置。
【請求項６】
請求項１から５のいずれか１項に記載の液晶表示装置を有することを特徴とする移動体通信端末。
【発明の詳細な説明】
【技術分野】
【０００１】
本発明は、液晶及びバックライトを有し、反射式表示及び透過式表示の切り替えが可能な液晶表示装置及び移動体通信端末に関する。
【背景技術】
【０００２】
一般に携帯電話等の移動体通信端末（携帯端末装置）は、その用途から屋内、屋外等使用環境を選ばずに使用されており、その移動体通信端末の表示装置も屋内、屋外等使用環境を選ばずに良好な視認性が要求されている。従来の移動体通信端末の表示装置は、液晶ディスプレイ内部に透過部、反射部を備えた半透過型液晶ディスプレイを搭載しており、屋内から屋外まであらゆる環境である程度の視認性を確保しているが、必ずしも良好ではなく、ユーザの好みで表示方式を選択する機能が存在しないという課題があった。
従来技術例として、表示モード切替用液晶セルを用いることにより、透過式表示及び反射式表示の両方において光効率の高い表示を行うことが可能な「液晶表示装置」がある（例えば、特許文献１参照）。また、別の従来技術例として、照度センサを有することにより、照度の変化に応じて透過式表示又は反射式表示のいずれかに自動的に切り替えることが可能な「液晶表示装置」がある（例えば、特許文献２参照）。
【特許文献１】特開２００２−０９０７７３号公報
【特許文献２】特開平０５−２８９０５９号公報
【発明の開示】
【発明が解決しようとする課題】
【０００３】
しかしながら、従来、ユーザがバックライトの輝度を設定する場合に、輝度の設定と連動して表示方式（表示モード）を切り替えるものはなかった。よって、バックライトの輝度設定を行ったとしても、必ずしも最適な表示方式で表示される訳ではなかった。
【０００４】
本発明は、上記事情に鑑みてなされたものであり、屋内から屋外まであらゆる環境で良好な視認性を確保するために、ユーザが好みのバックライト輝度を設定する際、その輝度の設定と連動して表示方式を切り替えることにより、最適な表示方式で表示することができる液晶表示装置及び移動体通信端末を提供することを目的とする。
【課題を解決するための手段】
【０００５】
かかる目的を達成するために、請求項１記載の発明は、表示用の液晶手段と、液晶手段の裏側に設けられ、外部光による反射式表示と、バックライトの照射による透過式表示とのいずれかに択一的に切り替わる表示切替液晶と、バックライトの輝度の設定及びバックライトの点灯・消灯の切り替え設定を行うバックライト制御手段と、反射式表示と、透過式表示との切り替え制御を行う制御手段と、を有し、制御手段は、表示切替液晶を、バックライト制御手段の輝度の設定に応じて反射式表示又は透過式表示のいずれか一方に切り替えることを特徴とする。
【０００６】
請求項２記載の発明は、請求項１記載の発明において、透過式表示時に、バックライトの輝度が所定の値以上に設定された場合、制御手段は、表示切替液晶を反射式表示へ切り替え、かつ、バックライト制御手段はバックライトを消灯し、かつ、反射式表示時に、バックライトの輝度が所定の値以上に設定された場合、制御手段は、表示切替液晶手段を透過式表示へ切り替え、かつ、バックライト制御手段はバックライトを点灯することを特徴とする。
【０００７】
請求項３記載の発明は、請求項１又は２記載の発明において、外部の照度を検出する照度検出手段と、反射式表示又は透過式表示の切り替え基準値である切替照度を設定する切替照度設定手段と、照度検出手段により検出された照度と、切替照度設定手段に設定された切替照度とを比較する比較手段と、をさらに有し、制御手段は、表示切替液晶を、比較手段の比較結果に応じて反射式表示又は透過式表示の切り替えることを特徴とする。
【０００８】
請求項４記載の発明は、請求項３記載の発明において、照度検出手段の検出照度が、予め設定された切替照度以上の場合、制御手段は、表示切替液晶を反射式表示へ切り替え、かつ、バックライト制御手段はバックライトを消灯し、照度検出手段の検出照度が、予め設定された切替照度未満の場合、制御手段は、表示切替液晶を過式表示へ切り替え、かつ、バックライト制御手段はバックライトを点灯することを特徴とする。
【０００９】
請求項５記載の発明は、請求項３又は４記載の発明において、照度検出手段の検出照度と、バックライトの輝度とを相関付けたテーブルを保持する記憶手段をさらに有し、制御手段は、照度検出手段の検出照度と、テーブルとに基づいて、反射式表示又は透過式表示の切り替えを行い、バックライト制御手段は、照度検出手段の検出照度と、テーブルとに基づいて、バックライトの輝度を所定の値に設定することを特徴とする。
【００１０】
請求項６記載の発明は、請求項１から５のいずれか１項に記載の液晶表示装置を有することを特徴とする。
【発明の効果】
【００１１】
本発明によれば、表示モード切り替えの制御をバックライトの電流制御に連動させることにより、最適な表示方式で表示することができ、また、屋外時の不必要なバックライト点灯の電力を削減することができる。
【発明を実施するための最良の形態】
【００１２】
以下、本発明を実施するための最良の形態について添付図面を参照して詳細に説明する。
【実施例１】
【００１３】
本発明の実施例１である液晶表示装置の構成について説明する。
図２に示すように、本実施例の液晶表示装置は、表示用の液晶手段である透過型液晶ディスプレイ１を有する。また、光学シート６、ＬＥＤ５、及び導光板４を備え、透過型液晶ディスプレイ１を照射するバックライト３を有し、透過型液晶ディスプレイ１を通常の表示手段として使用する。さらに、バックライト３との間に表示モードを切り替えるための表示切替液晶２を備えている。この表示切替液晶２は、電圧無印加時には透過パネルとして動作し、電圧印加時には反射ミラーとして動作するように、液晶、偏光板、光学シートで構成されている。なお、本実施例の表示切替液晶２は、前述の特許文献１記載の発明における表示モード切替用液晶セルを用いても良い。
【００１４】
本実施例の液晶表示装置は、図２に示すように、屋内使用時の場合、表示切替液晶２は、電圧は無印加状態とし、透過パネルとして動作する。この時、バックライト光はそのまま透過型液晶ディスプレイ１へ取り込まれ、透過型液晶ディスプレイ１をバックライト光７により表示する（透過式表示）。
【００１５】
また、図３に示すように、屋外使用時の場合、表示切替液晶２は、電圧は印加状態とし、ミラーとして動作する。太陽光等の外光８は、透過型液晶ディスプレイ１の表面から入光し、ミラー状態である表示切替液晶２により反射し、透過型液晶ディスプレイ１を反射光により表示する（反射式表示）。
【００１６】
次に、本実施例の液晶表示装置の制御動作について説明する。図１は、本実施例の表示装置の制御系を示す図である。図１に示す矢印は各手段の関わりを示しており、例えば、制御信号や各種情報の送受信を示している（図４及び図５も同様）。
本実施例の液晶表示装置は、図１に示すように、バックライト３の輝度の設定及び点灯・消灯の切り替え設定を行うバックライト制御手段１３と、表示切替液晶２に対する電圧の印加を制御して、表示方式を切り替える表示モード制御手段９と、を有する。そして、バックライトの輝度制御に（電流制御に）、透過式・反射式を切り替える制御を連動させる。
【００１７】
具体的には、透過式表示時において、所定の値以上バックライトを明るくする設定指示がユーザ操作によってなされた場合（例えば、バックライト最大輝度以上を指定した場合）、表示モード制御手段９は、表示切替液晶２を電圧印加状態とし、反射式表示に切り替える。この時、バックライト制御手段１３は、バックライト３を消灯する。また、反射式表示時において、所定の値以上バックライトを明るくする設定指示（バックライト点灯指示を含む）がユーザ操作によってなされた場合、表示モード制御手段９は、表示切替液晶２を電圧無印加状態とし、透過式表示に切り替える。この時、バックライト制御手段１３は、バックライトを点灯する（バックライト点灯は最大輝度に設定されるようにしても良い）。
【００１８】
なお、この表示切替液晶２の切り替え制御は、ユーザによって透過式又は反射式のいずれかの表示方式を選択されることにより、移動対通信端末のソフト制御により表示モード制御手段９を介して制御されるようにしても良い。
【００１９】
以上のように、屋外使用時には表示切替液晶はミラー状態であるため、バックライト光は不要となるが、本実施例では、表示切替液晶の制御内容をバックライトの電流制御に連動させることで、バックライトの消費電力を最適化させることができる。また、バックライトの輝度設定と同時に最適な表示方式にすることができる。
【実施例２】
【００２０】
本実施例では、外部の照度を検出する光センサを備えることで、光センサの出力を表示切替液晶に連動させ、ユーザの使用する環境を自動的に認識して、自動的に表示方式を最適化する。
【００２１】
図４に示すように、本実施例の液晶表示装置は、上記実施例１の構成に加えて、外部の照度を検出する光センサである照度検出手段１１と、反射式表示又は透過式表示の切り替え基準値である切替照度を設定する切替照度設定手段１２と、照度検出手段により検出された照度と、切替照度設定手段に設定された切替照度とを比較する比較手段１５と、を有する。そして、制御手段は、比較手段の比較結果に応じて、表示切替液晶を反射式表示又は透過式表示に切り替える。なお、上記本実施例の各手段について、前述の特許文献２記載の発明における、照度センサ、切替照度設定部、比較演算部、切替回路等を用いても良い。
【００２２】
例えば、照度検出手段で検出された受光光量（照度）と、切り替え照度設定手段１２にて予め設定された切替照度の値を比較手段１５で比較し、照度検出手段１１の受光光量が切替照度の値以上の場合、表示モード制御手段９は表示切替液晶２を反射式表示とし、バックライト制御手段１３はバックライト３をオフにする。また、光センサ受光光量が切替照度の値未満の場合、表示モード制御手段９は表示切替液晶２を透過式表示とし、バックライト制御手段１３はバックライト３を点灯する。
【００２３】
また、例えば、バックライトの点灯について、照度検出手段１１の受光光量が所定値以上の場合、バックライト制御手段１３はバックライトの輝度を大きく設定し、照度検出手段１１の受光光量が所定値未満の場合、バックライト制御手段１３はバックライトの輝度を小さくするようにしても良い。
【実施例３】
【００２４】
図５に示すように、本実施例の液晶表示装置は、上記実施例２の構成に加えて、照度検出手段１１の受光光量の値と、バックライトの輝度の値とを予め相関付けたテーブルを保持する記憶手段１０を有する。バックライト制御手段１３は、照度検出手段１１の受光光量と、このテーブルとに基づいて、バックライト３の輝度を決定する。本実施例において、バックライト３の輝度を決定する場合、バックライト制御手段１３が記憶手段１０のテーブルと照度検出手段１１で検出された照度とを基に輝度を決定し、決定した輝度になるようにバックライト３を制御しても良いし、又は、比較手段１５が照度検出手段１１で検出された照度と、記憶手段１０のテーブルとを参照して輝度を決定し、バックライト制御手段１３が比較手段１５により決定された輝度になるようにバックライト３を制御するようにしても良い。よって、前者の場合（バックライト制御手段が輝度を決定する場合）、図５に示す切替照度設定手段１２及び比較手段１５は、構成として必ずしも備える必要はない。
【００２５】
以上、各実施例で説明した表示装置は、携帯電話、ＰＤＡ等の移動体通信端末に適用される。なお、表示装置は、移動体通信端末のソフト制御にて制御される。
【００２６】
以上説明したように、本発明の各実施例によれば、以下の効果を奏する。
第１の効果は、表示切替液晶の制御をバックライトの電流制御に連動させることで、屋外時の不必要なバックライトの電力を削減することが可能となり、移動体通信端末の低消費電力化を図れるとともに、バックライトの輝度設定時に最適な表示方式に切り替えることができる。
【００２７】
第２の効果は、表示切替液晶を制御することによって、透過式表示及び反射式表示の視認性を可変することで、屋内での視認性が良好である透過型液晶の性能を損なうことなく、屋外での視認性の確保することが可能となる。更に、ユーザの好みに合わせて、自由に表示方式を選択することが可能となる。
【００２８】
第３の効果は、光センサを備えることで、光センサの出力を表示切替液晶に連動させ、ユーザの使用環境に対して自動的に視認性が良好になるように調整することも可能となる。
【００２９】
以上、本発明の実施例について説明したが、上記実施例に限定されるものではなく、その要旨を逸脱しない範囲において種々の変形が可能である。
【産業上の利用可能性】
【００３０】
本発明は、液晶ディスプレイ及びバックライトを有し、反射式表示及び透過式表示の切り替え可能な携帯端末装置全般に適用できる。
【図面の簡単な説明】
【００３１】
【図１】本発明の実施例１に係る構成を示すブロック図である。
【図２】本発明の実施例１に係る構成を模式的に示す側断面図である。
【図３】本発明の実施例１に係る構成を模式的に示す側断面図である。
【図４】本発明の実施例２に係る構成を示すブロック図である。
【図５】本発明の実施例３に係る構成を示すブロック図である。
【符号の説明】
【００３２】
１    透過型液晶ディスプレイ（液晶手段）
２    表示切替液晶
３    バックライト
４    導光板
５    ＬＥＤ
６    光学シート
７    バックライト光
８    外光（外部光）
９    表示モード制御手段（制御手段）
１０    記憶手段
１１    照度検出手段
１２    切替照度設定手段
１３    バックライト制御手段
１５    比較手段
【図１】
2006162680.tif 000003
【図２】
2006162680.tif 000004
【図３】
2006162680.tif 000005
【図４】
2006162680.tif 000006
【図５】
2006162680.tif 000007